(57)【特許請求の範囲】
【請求項１】
ポリプロピレン製の単体フィルムから構成され、
２つの長辺と、１つの短辺とからなる略二等辺三角形状の底面部を備え、略楔形のカットケーキを包装するのに適した形態を有するカットケーキ包装用袋であって、
前記包装用袋の少なくとも１つの側辺は、その上部にヒートシールが形成されていない非シール部を備えており、
かつ、前記包装用袋は、折り畳まれた状態の包装用袋の内寸幅の２０％以上〜５０％未満の折込部を前記短辺側にのみ備え、
折り畳まれた状態の包装用袋の底端部に形成される山形のヒートシールの頂角を約１２０〜約１３０度とすることで、略二等辺三角柱形状の収納空間を展開時に備えることを特徴とするカットケーキ包装用袋。
【請求項２】
ポリプロピレン製の単体フィルムから構成され、
２つの長辺と、１つの短辺とからなる略二等辺三角形状の底面部を備え、略楔形のカットケーキを包装するのに適した形態を有するカットケーキ包装用袋であって、
前記包装用袋の少なくとも１つの側辺は、その上部にヒートシールが形成されていない非シール部を備えており、
かつ、前記包装用袋は、折り畳まれた状態の包装用袋の内寸幅の約３８％の折込部を前記短辺側にのみ備え、
折り畳まれた状態の包装用袋の底端部に形成される山形のヒートシールの頂角を約１２４度とすることで、略二等辺三角柱形状の収納空間を展開時に備えることを特徴とするカットケーキ包装用袋。
【請求項３】
前記包装用袋の少なくとも１つの側辺は、開封を容易とする易開封部が袋の中央部〜下部において形成されていることを特徴とする請求項１又は２に記載のカットケーキ包装用袋。
【請求項４】
前記易開封部の延長上の非シール部に、水平方向に沿って開封案内手段が形成されていることを特徴とする請求項３に記載のカットケーキ包装用袋。
【発明の詳細な説明】
【技術分野】
【０００１】
本発明は、特に略楔形のカットケーキ（三角柱形状のケーキ又は菓子を含む）を包装するのに適したカットケーキ包装用袋に関するものである。
【背景技術】
【０００２】
従来公知の包装用袋としては、液体、粉体、粒体、ゼリー状、ペースト、スティック、固形物などを収納するためのものが提案されている（特許文献１、特許文献２、特許文献３）。
【０００３】
しかしながら、これらの従来の包装用袋は、カットケーキを収納することを意図して構成されているものではないため、その形状、材質、寸法などの点で、カットケーキを収納するのには適していない。
即ち、カットケーキは、通常、円柱状または円盤状のホールケーキを最小で１／１２、最大で１／６にカットすることで得られるものであり、略楔形となっているため、従来の包装用袋を用いてカットケーキを収納すると、無駄な空間が生じてカットケーキを安定的に収納することができず、型崩れしてしまったり、カットケーキが裏返しになってしまったり、収納状態の見栄えが悪いという問題があった。
【０００４】
また、家庭で手作りしたケーキを配るには、ラップで包む、三方袋（３辺をシールした袋）に入れる、又は、プラスチック製の硬質容器に入れる、ということになり、ラップや三方袋にケーキの上面が付着してしまったり、プラスチック製の硬質容器が複数必要になったり、プラスチック製の硬質容器の返却が必要となるという問題や、見栄えが悪いという問題がある。
【０００５】
さらに、従来の包装用袋においては、カットケーキを入れ難いばかりか、従来の包装用袋を使用してカットケーキを収納すると、収納されたケーキを取り出す際に鋏を用いる必要があったり、開口部付近を締め付けているリボンを取り除く必要があったり、袋を裏返してカットケーキを取り出す必要があるなどの問題があり、収納されたカットケーキを速やかに、かつ、上手に取り出すことができなかった。
【先行技術文献】
【特許文献】
【０００６】
【特許文献１】特許第２６９４０９３号公報
【特許文献２】特許第３９９７７１７号公報
【特許文献３】実開昭５１−６２９１５号公報
【発明の概要】
【発明が解決しようとする課題】
【０００７】
そこで、本発明が解決しようとする課題は、従来の包装用袋においては、略楔形という独特の形状を有するカットケーキを収納するのに適していないこと、及び、収納されたカットケーキを速やかに、かつ、上手に取り出すことができないことであり、本発明の目的は、カットケーキを安定的に見栄え良く収納するのに適した形態を有するカットケーキ包装用袋を提供することにある。
【０００８】
また、本発明の他の目的は、カットケーキを入れやすく、さらには、収納されたカットケーキを速やかに、かつ、上手に取り出すことができるカットケーキ包装用袋を提供することにある。
【０００９】
さらに、本発明の他の目的は、カットケーキ包装用袋を開封した後、包装用袋を皿の代わりにしたり、包装用袋を介することで直接カットケーキに触れることなく、フォークなどを使用することなくそのまま手でカットケーキを食べることができるカットケーキ包装用袋を提供することにある。
【課題を解決するための手段】
【００１０】
本発明は、「２つの長辺と、１つの短辺とからなる略二等辺三角形状の底面部を備え、略楔形のカットケーキを包装するのに適した形態を有するカットケーキ包装用袋であって、折り畳まれた状態の包装用袋の内寸幅の２０％以上〜５０％未満の折込部を前記短辺側にのみ備え、折り畳まれた状態の包装用袋の底端部に形成される山形のヒートシール又は溶断シールの頂角を約１２０〜約１３０度とすることで、略二等辺三角柱形状の収納空間を展開時に備えるカットケーキ包装用袋。」を最も主要な特徴とするものである。
【００１１】
さらに、本発明のカットケーキ包装用袋は、前記包装用袋の少なくとも１つの側辺の上部にヒートシールが形成されていない非シール部を備えている。
【００１２】
さらに、本発明のカットケーキ包装用袋は、前記包装用袋の少なくとも１つの側辺に、ヒートシールが施されており、当該ヒートシールに開封を容易とする易開封部が袋の中央部〜下部において形成されているとよい。
なお、本発明のカットケーキ包装用袋は、前記易開封部の延長上の非シール部に、水平方向に沿って開封案内手段が形成されているものであってもよい。
【００１３】
さらに、本発明は、「ポリプロピレン製の単体フィルムから構成されたカットケーキ包装用袋。」を主要な特徴とする。
【発明の効果】
【００１４】
上記構成により、本発明のカットケーキ包装用袋は、三角柱形状の収納空間を展開時に備え、略楔形のカットケーキを入れて包装するのに適した形態となり、カットケーキを安定した状態で収納でき、カットケーキの収納及び持ち運びの際などにおける取扱性及び利便性に優れたカットケーキ包装用袋として使用できる。
【００１５】
本発明によるカットケーキ包装用袋は、その少なくとも１つの側辺上部に、非シール部を備えることで、袋の上部を開いてカットケーキを入れ易くすることができる。カットケーキ包装用袋の側辺上部に、弱シール部を備えている場合には、袋上部の開口付近を持って弱シール部を手で剥がすことで、袋の上部を開いてカットケーキを入れ易くすることができる。
また、このような非シール部又は弱シール部を形成していることにより、その近くの袋の上部を摘み、ヒートシールに沿って袋を引き裂くように開いてカットケーキを取り出し易くすることもできる。
【００１６】
さらに、前記包装用袋の少なくとも１つの側辺に形成された易開封部により、カットケーキ包装用袋を切り開いて、袋の内部に収納されたカットケーキを速やかに、かつ、上手に取り出すこともできる。
【００１７】
また、このようにカットケーキ包装用袋を切り開いた状態とすることで、カットケーキの下に残っている包装用袋を皿のようにして用い、手やテーブルなどを汚すことなく、カットケーキ包装用袋を介してカットケーキを手で持って食べることもできる。
【図面の簡単な説明】
【００１８】
【図１】本発明を具体化した実施例１のカットケーキ包装用袋を折り畳んだ状態を示す平面図であって、ヒートシールされた部分を斜線で示す平面図。
【図２】本発明を具体化した実施例１のカットケーキ包装用袋を展開し、カットケーキを収納した状態を示す斜視図。
【図３】本発明を具体化した実施例１のカットケーキ包装用袋を展開してカットケーキを収納した状態を示す底面図。
【図４】本発明を具体化した実施例１のカットケーキ包装用袋にカットケーキを収納した様子を示す斜視図。
【図５】本発明を具体化した実施例１のカットケーキ包装用袋を易開封部から切り開いて開封した様子を示す斜視図。
【図６】本発明を具体化した実施例２のカットケーキ包装用袋を折り畳んだ状態を示す平面図であって、ヒートシールされた部分を斜線で示す平面図。
【図７】本発明を具体化した実施例３のカットケーキ包装用袋を折り畳んだ状態を示す平面図であって、ヒートシールされた部分を斜線で示す平面図。
【図８】本発明を具体化した実施例４のカットケーキ包装用袋を折り畳んだ状態を示す平面図であって、ヒートシールされた部分を斜線で示す平面図。
【図９】本発明を具体化した実施例５のカットケーキ包装用袋を折り畳んだ状態を示す平面図であって、ヒートシールされた部分を斜線で示す平面図。
【図１０】本発明を具体化した実施例６のカットケーキ包装用袋を折り畳んだ状態を示す平面図であって、溶断シールされた部分を斜線で示す平面図。
【発明を実施するための形態】
【００１９】
本発明は、略楔形のカットケーキ（三角柱形状のケーキ又は菓子を含む）を包装するのに適した形態を有するカットケーキ包装用袋であって、三角柱形状の収納空間を展開時に備えるカットケーキ包装用袋である。
【００２０】
本発明のカットケーキ包装用袋を製造する際に使用される胴部フィルム及び折込フィルムとしては、ヒートシールにより製袋することのできる公知の単体フィルムを使用できる。
【実施例１】
【００２１】
以下、本発明を具体化したカットケーキ包装用袋の実施例１について説明する。
図１〜図５に示すように、このカットケーキ包装用袋１０は、２つの長辺Ｌ（図１に示すＡＦ及びＥＦに相当）と、１つの短辺Ｓ（図１に示すＡＥに相当）とからなる略二等辺三角形状の底面部１を備えている。
【００２２】
前記カットケーキ包装用袋１０は、厚さ３０ミクロンの二軸延伸ポリプロピレン（ＯＰＰ）製の単体フィルムから構成されており、折り畳まれた状態のカットケーキ包装用袋１０の内寸幅（図１に示すＡＦ間の長さ）の約３８％の折込部２を前記短辺側にのみ備えている。
【００２３】
前記カットケーキ包装用袋１０が折り畳まれた状態でカットケーキ包装用袋１０の底端部に形成される山形のヒートシールＨの頂角θは約１２４度であり、略楔形のカットケーキＫを包装するのに適した略二等辺三角柱形状の収納空間３を展開時に備えるようになっている（図２〜図５参照）。本実施例１において、前記ヒートシールＨの幅は、５ｍｍとしているが、３〜６ｍｍ程度の範囲から適宜選択してよい。
【００２４】
この実施例１のカットケーキ包装用袋１０における折り畳まれた状態のカットケーキ包装用袋１０の全幅（外寸）は１１５ｍｍ、折込部２の長さ（図１に示すＡＣ間の長さ）は４２ｍｍ、展開された状態の内寸幅（図１に示すＤＦ間の長さ）は約１０２ｍｍとなる。
ここで、前記折込部２が形成されていないカットケーキ包装用袋の側辺４（ヒートシールＨの内側）と、底部のヒートシールＨとのなす角度を９０度＋αとする。
すると、展開したカットケーキ包装用袋１０の底部に形成される二等辺三角形の頂角の大きさは、約２αとなる（角ＡＦＥ）。
【００２５】
また、前記折込部２が形成されたカットケーキ包装用袋１０の側辺５と、底部のヒートシールＨとのなす角度を９０度＋βとする。
すると、三角形ＡＢＣと三角形ＡＢＤは合同であることから、
２β＝９０度−α    ・・・（式１）となる。
【００２６】
折り畳まれた状態のカットケーキ包装用袋１０の底端部に形成される山形のヒートシールの頂角θについては、        頂角θ＝１８０度−α−β    となる。
これに式１を代入すると、    頂角θ＝１３５度−α／２  ・・・（式２）となる。
【００２７】
円柱状のホールケーキを１２等分〜６等分にされていることが想定されるカットケーキの中心角に対応できるように、２０≦２α≦６０とし、これに式２を代入すると、１２０度≦頂角θ≦１３０度となる。
【００２８】
なお、カットケーキ包装用袋１０が折り畳んだ状態における、折込部２の内寸幅に対する割合を２０％とすると、展開したカットケーキ包装用袋１０の底部に形成される二等辺三角形の頂角（２α）は、約２３度となる。
【００２９】
前記実施例１のカットケーキ包装用袋１０の角度αは約２３度、角度βは約３３度、頂角θは約１２４度であり、展開したカットケーキ包装用袋１０の底部に形成される二等辺三角形の頂角（２α）は、約４５度となる。
従って、８等分されて中心角が４５度となっているカットケーキを好適に収納できるが、１２等分されて中心角が３０度となっているカットケーキについても、大きな隙間を生じることなく比較的安定して見栄え良く収納することができる。
【００３０】
前記カットケーキ包装用袋１０の側辺４は、サイドシール（側辺におけるヒートシールＨ）が施されており、当該サイドシールの上部にサイドシールが形成されていない非シール部４ａを備えている。
この非シール部４ａの上下方向の長さは、２０ｍｍ〜５０ｍｍ程度が好ましく、この実施例１においては、３０ｍｍとされている。
【００３１】
前記折込部２が形成されていないカットケーキ包装用袋１０の側辺４のサイドシール（ヒートシールＨ）には開封を容易とする易開封部６が形成されている。この易開封部６としては、１）サイドシールを部分的に切り欠いたもの、２）単にサイドシールに切り込みを入れたもの、３）ミシン目を入れたもの、４）複数の突き刺し傷を設けたものなど、適宜選択することができる。
さらに、前記易開封部６から水平方向にカットケーキ包装用袋１０を開封するのを確実に行うために、易開封部６の延長上の非シール部に水平方向に沿った開封案内手段６ａを設けるのが好ましい（図１参照）。
この開封案内手段６ａは、水平方向に１）ミシン目を入れる、２）レーザー加工をする、３）直線カット性のあるテープを貼る、４）傷痕加工を施すことなどで設けることができる。
【００３２】
前記易開封部６は、カットケーキ包装用袋１０に入れられるカットケーキＫの上面位置付近からカットケーキ包装用袋１０を開封できるように、カットケーキ包装用袋１０の中央部〜下部に形成されることが望まれるものであり、本実施例においては、カットケーキ包装用袋１０の底面部１（点Ｆ）の上方約３５ｍｍ〜４５ｍｍの位置に形成されている。
なお、この前記易開封部６の形成位置は、上記範囲に限られるものではなく、カットケーキ包装用袋１０に入れられるカットケーキＫを取り出し易い位置であればよく、カットケーキ包装用袋の底面部（点Ｆ）の上方約２５ｍｍ〜６０ｍｍ程度の位置から適宜選択して形成可能である。
【００３３】
次に、本発明のカットケーキ包装用袋１０を製造する方法について図１に基づいて説明する。
本発明のカットケーキ包装用袋１０を製造するには、長尺状のフィルムを２つ折りとし、さらにその中央部（図１において右側）を折り曲げることで、折込部２とする。
そして、フィルムの左側の側辺４にヒートシールＨ（サイドシール）を施すとともに、底端部には山形のヒートシールＨを施し、型抜きして個々の包装用袋とする。
【００３４】
このようにして製造されたカットケーキ包装用袋１０を使用する際には、図１に示すように折り畳まれた状態から、図２〜図４に示すように展開して略二等辺三角柱形状の収納空間３を形成し、カットケーキ包装用袋１０の上端部に形成される開口７からカットケーキＫを入れる。
【００３５】
ここで、カットケーキ包装用袋１０の側辺４の上端部には、非シール部４ａが設けられているため、図４に示すように非シール部４ａの両側のフィルムを開くことで、開口７からカットケーキＫを入れ易くなっている。
【００３６】
そして、リボン８又はテープなどで開口７周辺を締め付けることで、カットケーキＫを入れた状態でカットケーキ包装用袋１０を封止することができる。
このカットケーキ包装用袋１０からカットケーキＫを取り出す際には、図５に示すように易開封部６からカットケーキ包装用袋１０を水平方向に切り開くことで、簡単にカットケーキＫを取り出すことができる。
【００３７】
また、図５に示す状態のまま、（フィルムを皿のようにして）手やテーブルなどを汚すことなくカットケーキＫを手で食べることもできる。
なお、リボン８を外し、カットケーキ包装用袋１０上部の非シール部４ａ付近を摘み、ヒートシールＨに沿って袋を上から下へ引き裂くようにしてカットケーキ包装用袋１０を開き、カットケーキＫを取り出すこともできる。
【実施例２】
【００３８】
次に、本発明を具体化した図６に示す実施例２のカットケーキ包装用袋２０について説明する。なお、この実施例２のカットケーキ包装用袋２０において、前記実施例１のカットケーキ包装用袋１０と同様の構成については、同一の符号を付して説明を省略する。
【００３９】
この本実施例２のカットケーキ包装用袋２０は、易開封部６を省略しているが、非シール部４ａ近くの袋の上部を摘んで開き、サイドシールに沿って袋を上から下へ引き裂いてカットケーキＫを容易に取り出すことができる。
そして、カットケーキ包装用袋２０においては、角度αが約１５度、角度βが約３７度、頂角θが約１２８度であり、展開したカットケーキ包装用袋２０の底部に形成される二等辺三角形の頂角（２α）は、約３０度となる。
従って、１２等分されて中心角が３０度となっているカットケーキＫを好適に収納できる。
【実施例３】
【００４０】
次に、本発明を具体化した図７に示す実施例３のカットケーキ包装用袋３０について説明する。なお、この実施例３のカットケーキ包装用袋３０において、前記実施例１のカットケーキ包装用袋１０と同様の構成については、同一の符号を付して説明を省略する。
【００４１】
この実施例３のカットケーキ包装用袋３０は、折込部３２が形成されているカットケーキ包装用袋３０の側辺３５においてもヒートシール（サイドシール）Ｈが施されており、当該サイドシールにも開封を容易とする易開封部６が形成されている。
この易開封部６の形成される位置は、図中左側の側辺４（点Ｆからの距離）と図中右側の側辺３５（点Ａからの距離）とで同じ高さ位置としてもよいが、図７に示すように異なる高さ位置とし、カットケーキＫの高さに応じて開封位置を適宜選択できるようにしてもよい。
この実施例３のカットケーキ包装用袋３０は、２枚のフィルムの一側に別体の折込フィルムを折込み、その側辺３５をヒートシールすることで形成される。
【実施例４】
【００４２】
次に、図８に示す実施例４のカットケーキ包装用袋４０について説明する。なお、この実施例４のカットケーキ包装用袋４０において、前記実施例１のカットケーキ包装用袋１０と同様の構成については、同一の符号を付して説明を省略する。
【００４３】
この実施例４のカットケーキ包装用袋４０は、前記実施例３のカットケーキ包装用袋３０と同様に、カットケーキ包装用袋４０の両側辺４４，４５にヒートシール（サイドシール）Ｈが施されている。
さらに、折込部４２が設けられていない側の側辺４４の上部には、ヒートシール幅を他の部分の約半分程度とすることで、手にて引き裂き易くした弱シール部４４ａが設けられている。
従って、この弱シール部４４ａのヒートシールを剥がすか、弱シール部４４ａに沿ったフィルムを引き裂くことで、非シール部４ａを設けた場合と同様にこのカットケーキ包装用袋４０を使用することができる。
【００４４】
即ち、剥がされた（又は引き裂かれた）弱シール部４４ａ近くの袋の上部を摘んで開き、サイドシールに沿って袋を上から下へ引き裂いてカットケーキＫを容易に取り出すことができる。
この実施例４のカットケーキ包装用袋４０は、ヒートシール（サイドシール）Ｈに易開封部が設けられていないが、適宜少なくとも１つの側辺４４，４５に易開封部を形成することも勿論可能である。
【実施例５】
【００４５】
次に、図９に示す実施例５のカットケーキ包装用袋５０について説明する。なお、この実施例５のカットケーキ包装用袋５０において、前記実施例１のカットケーキ包装用袋１０と同様の構成については、同一の符号を付して説明を省略する。
【００４６】
この実施例５のカットケーキ包装用袋５０は、カットケーキ包装用袋５０の両側辺５４，５５の全長にヒートシール（サイドシール）Ｈが施されており、非シール部が設けられていない。また、このカットケーキ包装用袋５０は、図中左側の側辺５４のサイドシールには易開封部６が設けられているが、折込部５２が設けられている側のサイドシールには易開封部が設けられていない。
【実施例６】
【００４７】
次に、本発明を具体化した図１０に示す実施例６のカットケーキ包装用袋６０について説明する。
なお、この実施例６のカットケーキ包装用袋６０は、図１０に示す右側に折込部６２を備えており、両側辺６４，６５及び底部に溶断シールＹを施すことで製袋している。この溶断シールＹによるシール幅は、１ｍｍ程度であり、手にて容易に引き裂き可能である。
【００４８】
この実施例６のカットケーキ包装用袋６０は、カットケーキ包装用袋６０の側辺６４上部に溶断シールＹが施されていない、非シール部６４ａが設けられている。
この実施例６のカットケーキ包装用袋６０は、薄いフィルム（３０ミクロン厚のＯＰＰ）を用いてカットケーキ包装用袋６０を製造することで、非シール部６４ａ付近の袋を手で摘み、溶断シールＹに沿って上から下へ切り開いてカットケーキＫを容易に取り出すことができる。
また、このカットケーキ包装用袋６０には易開封部が設けられていないが、図５に示すように袋を水平方向に手で切り開き、カットケーキＫの下に残っている包装用袋を皿のようにして用い、手やテーブルなどを汚すことなくカットケーキを食べることもできる。
【００４９】
本発明は上記実施例１〜６に限定されるものではなく、本発明の各部（ヒートシール、溶断シール、易開封部、非シール部又は弱シール部など）の形状（長さ、幅、大きさ、角度（α、β、θ）、位置や数など）を適宜変更して実施してもよい。
例えば、展開した状態の包装用袋の内寸幅を５０〜１７０ｍｍ程度の範囲で適宜変更することも可能であり、より好ましくは、包装用袋の内寸幅を６０〜１５０ｍｍ程度の範囲又は７０ｍｍ〜１３０ｍｍ程度の範囲にて選択することもできる。
【００５０】
また、本発明の趣旨を逸脱しない範囲で、各実施例１〜６における折り畳まれた状態の包装用袋の折込部の内寸幅に対する割合を適宜変更して実施してもよい。
【００５１】
さらに、本発明の趣旨を逸脱しない範囲でカットケーキ包装用袋を構成するフィルムの材質、厚さ、形状などを適宜変更して実施してもよい。
カットケーキ包装用袋の材料としては、上記にて説明した材料の他、加工性に優れ、適度な強度を備えた合成樹脂から適宜選択可能である。
【産業上の利用可能性】
【００５２】
本発明は、カットケーキを安定的に見栄え良く収納することができ、カットケーキの運搬や出し入れの際の取扱性に優れるばかりか、カットケーキを食べる際の利便性にも優れたカットケーキ包装用袋として用いることができ、ケーキ店にて又は手作りケーキを包装する際に好適に利用可能である。
【符号の説明】
【００５３】
１    底面部
２    折込部
３    収納空間
４    側辺
４ａ  非シール部
５    側辺
６    易開封部
６ａ  開封案内手段
７    開口
８    リボン
１０    カットケーキ包装用袋（実施例１）
２０    カットケーキ包装用袋（実施例２）
３０    カットケーキ包装用袋（実施例３）
３２    折込部
３５    側辺
４０    カットケーキ包装用袋（実施例４）
４２    折込部
４４    側辺
４４ａ  弱シール部
４５    側辺
５０    カットケーキ包装用袋（実施例５）
５２    折込部
５４    側辺
５５    側辺
６０    カットケーキ包装用袋（実施例６）
６２    折込部
６４ａ  非シール部
Ｈ    ヒートシール
Ｋ    カットケーキ
Ｌ    長辺
Ｓ    短辺
Ｙ    溶断シール
θ    頂角
【図１】
0005833356.tif 000002
【図２】
0005833356.tif 000003
【図３】
0005833356.tif 000004
【図４】
0005833356.tif 000005
【図５】
0005833356.tif 000006
【図６】
0005833356.tif 000007
【図７】
0005833356.tif 000008
【図８】
0005833356.tif 000009
【図９】
0005833356.tif 000010
【図１０】
0005833356.tif 000011